(57)【要約】【課題】使い勝手を向上した切替操作装置を提供する。【解決手段】本発明の切替操作装置は、二つ以上の部品を切り替えて三つ以上の状態に切替可能な機器の状態切替用のものであり、上記部品毎に夫々操作ハンドル１、２を備えている。そして、操作ハンドル１、２が所定の操作方向に沿って夫々所定の二つの位置を往復移動することで夫々に対応した部品を切り替えると共に、外枠３で囲まれ形成された一つの開口内に並んで配置されている。更に、一方の操作ハンドル２が操作方向に沿って他方の操作ハンドル１にオーバーラップすると共に、粉塵を外部に排出する排出路５を外枠３の他方の操作ハンドル１の側方に設けた。これにより、操作ハンドル１、２の操作性を向上すると共に、オーバーラップされる側の端部１４に付着した粉塵を容易に除去できて、使い勝手を向上することができる。【選択図】        図１
2011125993.tif 000002
【特許請求の範囲】
【請求項１】
少なくとも二つ以上の部品の位置を切り替えて三つ以上の状態に切替可能な機器の状態切替用の切替操作装置であり、上記部品毎に夫々操作ハンドルを備え、上記操作ハンドルが所定の操作方向に沿って夫々所定の二つの位置の間を往復移動することで夫々の操作ハンドルが対応する上記部品の位置を切り替えると共に、上記複数の操作ハンドルは上記操作方向に沿って連続して並んで外枠に囲まれており、少なくとも一方の操作ハンドルが一端に上記操作方向に沿って他方の操作ハンドルの端部にオーバーラップするオーバーラップ部を備え、上記外枠は上記オーバーラップ部にオーバーラップされる端部の側方に位置した部位に上記オーバーラップされる端部に付着した粉塵を外部に排出する排出路を有するものであることを特徴とする切替操作装置。
【請求項２】
前記オーバーラップ部が前記他方の操作ハンドルに向けて突出した中央部を有するものであることを特徴とする請求項１に記載の切替操作装置。
【請求項３】
前記オーバーラップ部が前記他方の操作ハンドルから離れる向きで側方へ傾斜した傾斜部を有するものであることを特徴とする請求項１または請求項２に記載の切替操作装置。
【請求項４】
前記オーバーラップ部が前記他方の操作ハンドルに摺動する摺動面に複数の突起を有するものであることを特徴とした請求項１〜３のいずれか一項に記載の切替操作装置。
【請求項５】
前記突起が球状に突出したものであることを特徴とする請求項４記載の切替操作装置。
【発明の詳細な説明】
【技術分野】
【０００１】
本発明は、切替操作装置、殊に三つ以上の異なる状態に切替可能な機器における上記状態の切替操作用の切替操作装置に関するものである。
【背景技術】
【０００２】
従来から複数の動作状態に切替可能な機器として、出力する回転速度を三段以上に切替可能な減速機構を内部に備えたドリル工具やインパクト工具等の回転工具や、切断幅や切断長の異なる複数の刃部を備え上記刃部を選択的に駆動可能とした髭剃り等がある。そして、各状態の切替操作用の切替操作装置として、例えば、特許文献１のように回転工具に設けたものでは、一つのスライドスイッチ（操作ハンドル）を三つの切替位置にスライド自在で設けて、各切替位置に応じて二つの切替歯車の位置を切り替えて、異なる三つの動作状態に切替可能としたものがある。
【０００３】
しかしながら、操作ハンドルが一つであるため、三つの切替位置のうち中央に位置する中間の切替位置に合せることが難しく、スライド操作が不十分で切替歯車が切り替わらないことや、スライド操作が過剰で中間位置を行き過ぎて所望以外の状態に切り替わることがある。
【０００４】
そこで、切替歯車毎に夫々操作ハンドルを備えて、切替位置から中間位置を廃止すると共に、複数の操作ハンドルを減速機構の外装に設けられた一つの開口内に収めて、上記操作ハンドルの切替操作を容易にしたものがある。詳しくは、二つの操作ハンドルが操作方向に沿って連続して一つの開口内に配置されており、操作ハンドルは互いに相手の外部操作による移動を規制することで、夫々操作ハンドルを各切替位置に位置決めしている。そして、一方の操作ハンドルは一端が他方の操作ハンドルの端部にオーバーラップするオーバーラップ部となっており、上記オーバーラップにより操作ハンドルを外部操作する際に操作ストロークを短くしている。更に、上記他方の操作ハンドルのオーバーラップされる端部である被オーバーラップ部は凹陥部となっており、オーバーラップ時にオーバーラップ部を操作ハンドルの操作用の摘み部より低くして、オーバーラップ部が使用者による摘み部の挟持を阻害することを防止している。
【先行技術文献】
【特許文献】
【０００５】
【特許文献１】特開２００８−１１４３６５号公報
【発明の概要】
【発明が解決しようとする課題】
【０００６】
しかし、操作ハンドルをオーバーラップさせたことで、被オーバーラップ部に塵が付着して溜まると、操作ハンドルの摺動面の抵抗増加や移動量不足等で切替部品の切替が不十分になると共に操作ハンドルの操作性が低下し、機器に支障をきたすことがある。そのため、上記被オーバーラップ部をブラシ等の清掃道具で清掃して付着した塵を除去する清掃作業を行う必要があり、上記清掃作業により回転工具の作業が中断すると共に作業時間が超過することがある。そして、上記清掃作業では線状で且つ螺旋状に捩れた切削片や薄板状の薄い切削片等は凹陥部に付着しても上記清掃道具で容易に清掃できるが、粉末状の切削屑や埃等の粉塵は凹みの隅や角等に付着すると掻き出し難く、十分に除去できないことがある。特に、被オーバーラップ部を凹陥部としたものでは互いの操作ハンドルに囲まれており、粉塵を凹陥部の外部に掻き出し難く、上記凹陥部に粉塵が溜まり易いものである。
【０００７】
本発明は上記事情に鑑みて発明したものであり、操作ハンドルに付着した塵を容易に除去できて、塵の付着による操作性の低下を防止した切替操作装置を提供することを課題とした。
【課題を解決するための手段】
【０００８】
上記課題を解決するために、本発明の切替操作装置は、少なくとも二つ以上の部品の位置を切り替えて三つ以上の状態に切替可能な機器の状態切替用の切替操作装置であり、上記部品毎に夫々操作ハンドル１、２を備えている。そして、上記操作ハンドル１、２が所定の操作方向に沿って夫々所定の二つの位置の間を往復移動することで夫々の操作ハンドル１、２が対応する上記部品の位置を切り替えると共に、上記複数の操作ハンドル１、２は上記操作方向に沿って連続して並んで外枠３に囲まれている。更に、少なくとも一方の操作ハンドル２が一端２４に上記操作方向に沿って他方の操作ハンドル１の端部１４にオーバーラップするオーバーラップ部２５を備え、上記外枠３は上記オーバーラップ部２５にオーバーラップされる端部１４の側方に位置した部位に上記オーバーラップされる端部１４に付着した粉塵を外部に排出する排出路５を有するものである。
【０００９】
このような構成としたことで、各操作ハンドル１、２を移動させる切替位置が二つになり、移動を途中で停止する位置決めの無い中間位置を排除すると共に、オーバーラップにより操作ハンドル１、２を操作する操作ストロークを短くすることができる。そして、複数の操作ハンドル１、２を外枠３で囲まれた一つの開口内に配置したことで、外枠３や他の操作ハンドル２、１に移動規制され、操作ハンドル１、２の各切替位置への位置決めを容易に行うことができる。更に、上記他方の操作ハンドル１のオーバーラップされる端部１４に付着した粉塵を上記排出路５から外部へ容易に排出することができる。
【００１０】
そして、前記オーバーラップ部２５が前記他方の操作ハンドル１に向けて突出した中央部２５ａを有するものであれば、上記中央部２５ａの側方に形成された隙間Ｓに上記他方の操作ハンドル１に付着した粉塵を集められると共に、前記排出路５と上記他方の操作ハンドル１の側方が連通する空間を確保できる。
【００１１】
更に、前記オーバーラップ部２５が前記他方の操作ハンドル１から離れる向きで側方へ傾斜した傾斜部２５ｂを有するものであれば、上記傾斜部２５ｂの傾斜により上記他方の操作ハンドル１に付着した粉塵を側方に誘導して前記排出路５から外部に排出し易くできる。
【００１２】
また、前記オーバーラップ部２５が前記他方の操作ハンドル１に摺動する摺動面に複数の突起２７ａを有するものであれば、上記オーバーラップ部２５が上記他方の操作ハンドル１に上記突起２７ａの先端で接触して摺動するため、前記往復移動時の上記操作ハンドル１、２間の接触抵抗を低減できる。そして、前記突起２７ａが球状に突出したものであれば、接触抵抗をより低減できて好ましい。
【発明の効果】
【００１３】
上記のように、本発明の切替操作装置は、部品毎に夫々操作ハンドルを備えたことで、各操作ハンドルの切替位置から中間位置を排除すると共に、オーバーラップにより操作ハンドルを操作する操作ストロークを短くすることができる。そして、複数の操作ハンドルを外枠により形成された一つの開口内に配置したことで、外枠や他の操作ハンドルに移動規制され、操作ハンドルの各切替位置への位置決めを容易に行うことができる。そのため、機器の状態変更の切替操作を容易に行えて、使い勝手を向上することができる。更に、操作ハンドルに付着した粉塵を上記排出路から外部へ容易に排出できるため、付着した粉塵が溜まることを抑制できて、塵による操作ハンドルの操作性の低下を防止することができる。尚且つ、操作ハンドルに付着した粉塵をブラシ等の清掃道具で容易に排出路に導入して清掃できるため、操作ハンドルの清掃性も向上することができる。
【００１４】
また、オーバーラップ部が突出した中央部を有したことで、上記中央部の両側に形成される隙間で上記他方の操作ハンドルに付着した粉塵を集められると共に、上記隙間が排出路と上記他方の操作ハンドルの側方が連通を確保する空間となり、オーバーラップ時に排出路が上記オーバーラップ部に閉鎖されて粉塵の排出が抑制されることを防止できる。
【００１５】
また、オーバーラップ部が側方に傾斜部を有したことで、オーバーラップ時に他方の操作ハンドルに付着した粉塵を傾斜部の傾斜に沿って排出路に誘導できて、上記粉塵を容易に外部へ排出することができる。
【００１６】
また、操作ハンドルがオーバーラップ部の摺動面に複数の突起を有したことで、操作ハンドルがオーバーラップ時に互いに摺動する接触面の接触抵抗を低減できて、操作ハンドルを切替操作する操作力を軽減することができる。
【図面の簡単な説明】
【００１７】
【図１】本発明の切替操作装置の斜視図であり、（ａ）第１操作ハンドル、（ｂ）第２操作ハンドル、（ｃ）オーバーラップ状態である。
【図２】切替操作装置をハウジングの開口に備えた回転工具の切替操作装置周辺の（ａ）平面図、（ｂ）斜視図である。
【図３】（ａ）（ｂ）（ｃ）各操作ハンドルの動作説明図である。
【図４】第１モードにおける切替操作装置周辺の（ａ）平面図、（ｂ）側面図、（ｃ）Ｙ−Ｙ断面図である。
【図５】第３モードにおける切替操作装置周辺の（ａ）平面図、（ｂ）側面図、（ｃ）Ｚ−Ｚ断面図である。
【図６】（ａ）図２のＸ−Ｘ断面図、（ｂ）第１操作ハンドルの平面図、（ｃ）第１操作ハンドルの摺動面側の斜視図である。
【発明を実施するための形態】
【００１８】
以下、図面に基づいて本発明の実施形態について説明する。
【００１９】
本実施例の切替操作装置は電動ドリルやインパクトレンチ、電動ドライバー等のモータの回転駆動を出力部から出力して穴開口や固定具の締付等の作業を行う回転工具に設けられた操作部の一つである。当該切替操作装置は回転工具に内蔵されたモータの回転駆動を減速して出力部に伝達する減速機構部の減速比を切り替えて、出力部に伝達される回転駆動の回転速度を変更する切替操作を行うためのものである。つまり、本発明の切替操作装置はモータの回転速度に依らず減速機構部内の部品である切替歯車の位置を切り替えて減速機構部の減速比を変更するものであり、モータの回転速度を直接変更するトリガースイッチ等とは異なる操作部である。
【００２０】
詳しくは、回転工具が、図２に示すように、モータ（図面では省略）及び減速機構部９４を内蔵した筒状の本体９２と、本体９２の筒の一端に取り付けられたピットを有する出力部９３と、本体９２の下方に延設されたトリガースイッチを備える把持部（図面では省略）と、からなっている。そして、上記本体９２と把持部は上下に二つ割りのハウジング９１（９１ａ、９１ｂ）により外装が形成されている。以下の説明において、減速機構部９４を基準に出力部９３側を軸方向の前方Ｆとし、出力部９３の反対側であるモータ側を軸方向の後方Ｂとして定義する。
【００２１】
上記ハウジング９１は本体９２の把持部を延設した部位の反対側である上方側に合せ目を有し、上記合せ目の減速機構部９４の外周側に位置して筒の軸方向に沿って長辺を有する平面視略長方形状の外枠３が設けられている。そして、上記外枠３に囲まれた内側は本体９２の内部へ貫通した一つの開口が形成されており、上記開口内に本発明の切替操作装置が配設されている。つまり、上記切替操作装置は、図１に示すように、軸方向にスライド自在で並び開口を内周側から覆う二つの板状の操作ハンドル１、２からなり、上記外枠３に囲まれた空間に二つの操作ハンドル１、２をスライドする方向である操作方向に沿って連続して配置したものである。
【００２２】
詳しくは、モータに近い側に位置する操作ハンドル１が本体９２と略同芯の円弧状に湾曲した本体板１１を主体として、本体板１１の上面に使用者が摘んで操作ハンドル１を操作するための摘み部１３を備えている。そして、本体板１１の端部１２、１４のうち、モータに近い後端部１２は本体板１１と略面一の上面を有しており、他端である出力部９３に近い前端部１４は両側を側壁１７として残して後方Ｂ及び下方に向けて凹んだ凹陥部１５を有している。更に、上記凹陥部１５は下面に切替歯車を切り替える切替ばね１６ａを保持する切替部１６が突設されている。
【００２３】
また、出力部９３に近い側に位置する操作ハンドル２は本体９２と略同芯の円弧状に湾曲した本体板２１を主体として、本体板２１の上面に使用者が摘んで操作ハンドル２を操作するための摘み部２３を備えている。そして、本体板２１の端部２２、２４のうち、出力部９３に近い前端部２２は本体板２１と略面一の上面を有すると共に、上記前端部２２は下面に切替歯車を切り替える切替ばね２６ａを保持する切替部２６が突設されている。更に、他端であるモータに近い後端部２４は上記凹陥部１５にオーバーラップするオーバーラップ部２５を有しており、凹陥部１５にオーバーラップして凹陥部１５の上面１５ａを覆うと共に、両操作ハンドル１、２の本体板１１、２１の上面とオーバーラップ部２５の上面が略面一になるものである。
【００２４】
つまり、各操作ハンドル１、２は切替部１６、２６により切替ばね１６ａ、２６ａを介して切替歯車と一対一で対応しており、一つの操作ハンドル１、２がスライド操作されると、切替部１６、２６及び切替ばね１６ａ、２６ａを介して一つの切替歯車の位置が変更されて減速機構部９４の減速比を変更するものである。そして、上記摘み部１３、２３を介したスライド操作により、各操作ハンドル１、２は出力部９３に近づく前方位置とモータに近づく後方位置の二つの切替位置を前後に往復移動して、上記切替位置を組合せて減速機構部９４の減速比を異なる三つのモードに変更するものである。以下、上記三つのモードを説明するために、二つの操作ハンドル１、２を区別する際には、モータ側に位置し凹陥部１５を有する操作ハンドル１を第１操作ハンドル１とし、出力部９３側に位置しオーバーラップ部２５を有する操作ハンドル２を第２操作ハンドル２として標記する。
【００２５】
上記三つのモードとは、図３に示すように、両操作ハンドル１、２が互いにモータ側である後方位置に位置し凹陥部１５にオーバーラップ部２５がオーバーラップした第１モードと、第１操作ハンドル１が後方位置に位置し第２操作ハンドル２が出力部９３側である前方位置に位置し凹陥部１５の上面１５ａが外部に露出し両操作ハンドル１、２の摘み部１３、２３の間の距離が最も離れた第２モードと、両操作ハンドル１、２が互いに前方位置に位置した第３モードと、である。そして、上記第１モード及び第３モードではオーバーラップ部２５が凹陥部１５の全体にオーバーラップして凹陥部１５の上面１５ａを覆っており、第２モードではオーバーラップ部２５が前方Ｆ側に位置して凹陥部１５の上面１５ａが外部に開放されている。
【００２６】
また、第１操作ハンドル１は凹陥部１５を形成する側壁１７の後端に周方向に貫通した切欠き１７ａを有しており、回転工具のハウジング９１の一部である外枠３には第１操作ハンドル１の後方位置と前方位置で夫々上記切欠き１７ａに連通する排出路５が周方向に貫通して形成されている。詳しくは、操作ハンドル１、２の側方に位置する外枠３の二つの長辺に夫々前後に並んで二つ排出路５（５ａ、５ｂ）が設けられており、上記排出路５は本体９２の周方向に上記外枠３を貫通して形成された矩形状の通路である。そして、各排出路５の一端は上記凹陥部１５の凹みと略同じ高さ寸法で矩形状に開口して開口内に臨んでおり、他端は上記一端と略同じあるいは上記一端より小さい矩形状で外枠３の外周に開口して外部に臨んでいる。そのため、上記排出路５が上記切欠き１７ａと連通すると、凹陥部１５に付着した粉塵を上記切欠き１７ａ及び切欠き１７ａに連通した排出路５を介して外部に排出できるものとなっている。
【００２７】
詳しくは、第１操作ハンドル１が後方位置にある第１モードでは、図４に示すように、凹陥部１５の側壁１７の切欠き１７ａが後方Ｂ側で両側に形成された後方排出路５ｂに連通し、上記凹陥部１５に付着した粉塵は上記切欠き１７ａ及び後方排出路５ｂから外部に排出されるものである。そして、第２モードも第１操作ハンドル１が後方位置に位置するため、上記第１モードと同様に切欠き１７ａが後方排出路５ｂに連通するものである。更に、第１操作ハンドル１が前方位置にある第３モードでは、図５に示すように、凹陥部１５の側壁１７の切欠き１７ａが前方Ｆ側で両側に形成された前方排出路５ａに連通し、上記凹陥部１５に付着した粉塵は上記切欠き１７ａ及び前方排出路５ａを介して外部に排出されるものである。
【００２８】
また、図６に示すように、第２操作ハンドル２はオーバーラップ部２５の先端が平面視略円弧形状に傾斜しており、オーバーラップ時にオーバーラップ部２５の先端側方に隙間Ｓを形成するものである。詳しくは、オーバーラップ部２５の中央部２５ａが最も第１操作ハンドル１に向けて軸方向に突出しており、中央部２５ａから夫々の側方に向かうほど第１操作ハンドル１から離れる前方Ｆへ向けて傾斜した傾斜部２５ｂとなっている。つまり、上記中央部２５ａの先端がオーバーラップ時に凹陥部１５の後方Ｂを形成する壁面１５ｂに当接して互いの操作ハンドル１、２が近づく向きへのスライドを規制するものである。そして、上記中央部２５ａと凹陥部１５の壁面１５ｂの当接時に傾斜部２５ｂは上記凹陥部１５の壁面１５ｂに当接しないため、オーバーラップ部２５は先端の側方に隙間Ｓを有するものとなっている。
【００２９】
そのため、上記中央部２５ａが壁面１５ｂに当接する際に側方の凹みである傾斜部２５ｂ側へ粉塵を押し出し、上記粉塵が上記傾斜部２５ｂと壁面１５ｂにより形成された隙間Ｓに溜まると共に、傾斜部２５ｂに接触した粉塵は傾斜部２５ｂの傾斜により前記切欠き１７ａへガイドされるものである。つまり、中央に付着した粉塵は中央部２５ａにより側方に動かされた後、上記傾斜部２５ｂにより切欠き１７ａへ誘導され、中央部２５ａより側方に付着した粉塵は直接傾斜部２５ｂにより切欠き１７ａへ誘導されて、切欠き１７ａに誘導された粉塵は排出路５から外部へ除去される。そして、オーバーラップが完了した中央部２５ａが凹陥部１５の壁面１５ｂに当接した時に中央部２５ａの側方に残った粉塵は傾斜部２５ｂと壁面１５ｂの間に生じる隙間Ｓに位置する。
【００３０】
また、オーバーラップ部２５の裏面であり内周面である下面は後端である中央部２５ａ及び傾斜部２５ｂの円弧形状の先端に下方に突出し下面がフラットな壁部２８を有し、上記壁部２８より前方Ｆ側は下方に突出した突起２７ａを有する凹凸部２７となっている。そして、上記凹凸部２７の突起２７ａは球状に形成されると共に、上記壁部２８の下面と上記突起２７ａの下端が略面一の高さで並んでおり、操作ハンドル１、２のスライド移動時に上記下面及び下端が凹陥部１５に摺動するものである。更に、上記壁部２８のフラットな下面が凹陥部１５の上面１５ａに摺動するため、凹陥部１５に付着した粉塵が中央部２５ａ及び傾斜部２５ｂに沿って切欠き１７ａ及び排出路５に誘導されて外部に排出される。
【００３１】
また、上記第１操作ハンドル１は前端部１４である凹陥部１５の上面１５ａに第２モードを示す第２モード表示部４ｂを有すると共に、後端部１２の上面に第３モードを示す第３モード表示部４ｃを有している。そして、上記第２モード表示部４ｂはオーバーラップ部２５が凹陥部１５にオーバーラップすると隠蔽されるものであり、第３モード表示部４ｃは第１操作ハンドル１が後方位置に位置して後端部１２が開口を形成する外枠３の内側に潜り込むため後方位置では隠蔽されるものである。また、上記第２操作ハンドル２は前端部２２の上面に第１モードを示す第１モード表示部４ａを有しており、第２操作ハンドル２が前方位置に位置して前端部２２が開口を形成する外枠３の内側に潜り込むため第１モード表示部４ａは前方位置では隠蔽されるものである。
【００３２】
つまり、各モードでモード毎に対応したモード表示部４ａ、４ｂ、４ｃのみが開口内に位置するものとなっており、モード表示部４ａ、４ｂ、４ｃを視認するだけで現在のモードを容易に判断できる切替操作装置となっている。そして、各操作ハンドル１、２の本体板１１、２１は摘み部１３、２３の周方向の端部である側部にハウジング９１の内周面に係合する係合爪１１ａ、２１ａを備えている。上記係合爪１１ａ、２１ａは各切替位置でハウジング９１の内周面に係脱することで、操作ハンドル１、２の操作時に使用者へクリック感を与えるものとなっている。
【００３３】
このように、減速機構部９４の減速比を変更する切替操作を行う切替操作装置が切替歯車毎に夫々操作ハンドル１、２を備えたことで、各操作ハンドル１、２をスライド移動させる切替位置が前方位置と後方位置の二つになる。そして、ハウジング９１の外枠３で形成された一つの開口内に複数の操作ハンドル１、２を配置したことで、外枠３及び他の操作ハンドル２、１によりスライドを規制されるため、スライド移動時の各切替位置への位置決めが容易に行える。そのため、ハウジング９１等によるスライド規制の無いスライド移動を途中で停止する中間位置を排除できると共に、各切替位置へのスライドを容易に行えて、モードの切替操作を容易に行える使い勝手の向上した切替操作装置となっている。そして、切替歯車毎に夫々操作ハンドル１、２を割り当てると共に、第２操作ハンドル２の後端部２４を他方である第１操作ハンドル１の前端部１４にオーバーラップ可能としたことで、操作ハンドル１、２をスライド操作する操作ストロークが短くなっている。
【００３４】
また、凹陥部１５の側壁１７に切欠き１７ａを形成すると共に、ハウジング９１の操作ハンドル１、２の前後の切替位置で切欠き１７ａに連通する位置に排出路５を設けたことで、各切替位置で切欠き１７ａから連通した排出路５を介して外部へ凹陥部１５に付着した粉塵を排出することができる。そのため、凹陥部１５に飛散してきた粉塵が凹陥部１５に付着せずに排出路５から外部に排出されると共に、凹陥部１５に付着してもブラシ等の清掃道具で排出路５に導入して外部へ除去することができる。つまり、オーバーラップ部２５にオーバーラップされる端部１４（被オーバーラップ部）である凹陥部１５への塵の付着を抑制して清掃作業の回数を削減すると共に、清掃作業を容易に行える清掃性及び使い勝手の向上したものとなっている。
【００３５】
また、凹陥部１５の壁面１５ｂに当接する中央部２５ａ及び上記中央部２５ａの側方の凹みである傾斜部２５ｂによりオーバーラップ部２５の先端を円弧形状としたことで、凹陥部１５に付着した塵が上記円弧に沿って側方に誘導されて、中央部２５ａと壁面１５ｂの間から除去される。そして、上記中央部２５ａ及び傾斜部２５ｂに誘導された塵は中央部２５ａの側方である傾斜部２５ｂと壁面１５ｂの間の隙間Ｓに凹陥部１５に付着した塵を集められると共に、排出路５から外部へ排出される。更に、上記隙間Ｓにより切欠き１７ａに連通した排出路５がオーバーラップ部２５に閉鎖されることがないため、凹陥部１５から切欠き１７ａを介して排出路５へ粉塵を導入するための空間を確保できて、オーバーラップ時に粉塵が排出できなくなることを防止している。
【００３６】
つまり、操作ハンドル１、２のオーバーラップ時に中央部２５ａと壁面１５ｂを確実に当接できて、操作ハンドル１、２を切替位置へスライド移動である機器の使用中の操作ハンドル１、２の操作性を確保している。そして、上記隙間Ｓに凹陥部１５に付着した塵が集められるため、両操作ハンドル１、２の操作方向の間に塵が挟まり操作性が低下することを防止している。更に、隙間Ｓが塵で埋まるまで回転工具の作業等の機器の使用を継続できて、清掃作業の回数を削減すると共に、清掃作業によって機器の使用が中断することを防止している。
【００３７】
また、球状の突起２７ａを有する凹凸部２７によりオーバーラップ部２５の下面と凹陥部１５の上面１５ａの接触面積を低減したことで、両操作ハンドル１、２の移動時の接触抵抗が低下して、操作ハンドル１、２の外部操作時の操作力を軽減することができる。そして、壁部２８により中央部２５ａ及び傾斜部２５ｂの塵の誘導を確保したため、向上させた操作性及び清掃性を維持して操作力を軽減しており、使い勝手のよいものとなっている。更に、操作時のぶれや回転工具の振動等でオーバーラップ部２５の下面と凹陥部１５の上面１５ａの両摺動面の間に粉塵が混入しても上記凹凸部２７の凹みに入り込み、上記摺動面間への粉塵の混入による操作ハンドル１、２の変形やモード表示部４ａ、４ｂ、４ｃの掠れ等の不具合の発生を防止して、機器使用の中断を抑制している。
【００３８】
なお、凹陥部１５は側壁１７を全て切欠いて側方である周方向に壁が無いものにして、第２モードの際に前方排出路５ａと後方排出路５ｂの両方から凹陥部１５に付着した粉塵を外部に排出するものであってもよい。もちろん、排出路５の外部側の開口にフィルターやダストボックスや吸引部等の着脱自在な粉塵回収部を設けて、排出路５から排出される粉塵の飛散を防止してもよい。ましてや、本発明の切替操作装置は電動のこぎりや電動研磨機のモータ駆動で切断や研削する電動工具や、バリカンや髭剃り等の毛の切断長や除毛範囲を複数の状態に変更可能としたモータ駆動の除毛機器等に配設してもよい。
【符号の説明】
【００３９】
１  第１操作ハンドル
１５  凹陥部
１７ａ  切欠き
２  第２操作ハンドル
２５  第２オーバーラップ部
２５ａ  中央部
２５ｂ  傾斜部
２７  凹凸部
２７ａ  突起
３  外枠
５  排出路
５ａ  前方排出路
５ｂ  後方排出路
【図１】
2011125993.tif 000003
【図２】
2011125993.tif 000004
【図３】
2011125993.tif 000005
【図４】
2011125993.tif 000006
【図５】
2011125993.tif 000007
【図６】
2011125993.tif 000008